(57)【要約】      （修正有）【課題】回路基板を取り付けるときに、作業効率が低下しないようにできる発光装置を提供する。【解決手段】発光装置１０は、基板１１０、発光部１２０、及び複数の端子部１０６を備えている。発光部１２０は有機ＥＬ素子を備えている。そして複数の端子部１０６は、回転対称に配置されている。ここで、回転対称の中心は、例えば基板１１０の中心であるが、これに限定されない。発光装置１０は、例えば、有機ＥＬパネル１００及び回路基板を陽極端子１０２及び陰極端子１０４で接続した構成を有している。【選択図】図１
2015122271.tif 000002
【特許請求の範囲】
【請求項１】
基板と、
前記基板に形成され、有機ＥＬ素子を有する発光部と、
前記発光部に接続し、それぞれが陽極端子及び陰極端子を有する複数の端子部と、
を備え、
前記複数の端子部は、回転対称に配置されている発光装置。
【請求項２】
請求項１に記載の発光装置において、
前記基板は矩形であり、
前記複数の端子部は、２回対称又は４回対称である発光装置。
【請求項３】
請求項２に記載の発光装置において、
前記発光部は、複数の発光領域に分割されており、
前記端子部は、前記発光領域のそれぞれに対して設けられている発光装置。
【請求項４】
請求項３に記載の発光装置において、
前記複数の端子部に接続された回路基板を備え、
前記複数の発光領域は、前記回路基板を介して互いに直列に接続されている発光装置。
【請求項５】
請求項４に記載の発光装置において、
前記複数の端子部は、前記基板の角部に設けられており、
前記複数の端子部それぞれにおいて、前記陽極端子と前記陰極端子は前記基板の頂点を挟んで互いに異なる辺に設けられている発光装置。
【発明の詳細な説明】
【技術分野】
【０００１】
本発明は、発光装置に関する。
【背景技術】
【０００２】
近年は、有機ＥＬ素子を光源として利用した有機ＥＬパネルの開発が進んでいる。有機ＥＬ素子は面発光し、かつ軽量であるため、パネル化することができる。
【０００３】
なお、有機ＥＬ装置に関する文献としては、例えば特許文献１に記載の技術がある。特許文献１において、発光層は防湿フィルムで封止されている。そして、防湿フィルムからは、リード電極が外部に延在している。
【先行技術文献】
【特許文献】
【０００４】
【特許文献１】特開平０７−０９９０８７号公報
【発明の概要】
【発明が解決しようとする課題】
【０００５】
発光装置を駆動させるためには、回路基板に発光装置を取り付ける必要がある。この際、発光装置の中心を基準としたときの回路基板の向き（角度）を所定の角度にあわせる必要がある場合、作業効率が低下してしまう。
【０００６】
本発明が解決しようとする課題としては、回路基板に発光装置を取り付けるときに、作業効率が低下しないようにすることが一例として挙げられる。
【課題を解決するための手段】
【０００７】
請求項１に記載の発明は、基板と、
前記基板に形成され、有機ＥＬ素子を有する発光部と、
前記発光部に接続し、それぞれが陽極端子及び陰極端子を有する複数の端子部と、
を備え、
前記複数の端子部は、回転対称に配置されている発光装置である。
【図面の簡単な説明】
【０００８】
【図１】実施形態に係る発光装置の構成を示す平面図である。
【図２】図１のＡ−Ａ断面図である。
【図３】回路基板の平面図である。
【図４】実施例に係る発光装置の平面図である。
【図５】実施例に係る回路基板の平面図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る発光装置１０の構成を示す平面図である。図２は、図１のＡ−Ａ断面図である。実施形態に係る発光装置１０は、基板１１０、発光部１２０、及び複数の端子部１０６を備えている。発光部１２０は有機ＥＬ素子を備えている。そして複数の端子部１０６は、回転対称に配置されている。ここで、回転対称の中心は、例えば基板１１０の中心であるが、これに限定されない。本図に示す例において、発光装置１０は、有機ＥＬパネル１００及び回路基板２００を陽極リード部１４２（図１では省略）及び陰極リード部１４４（図１では省略）で接続した構成を有している。以下、詳細に説明する。
【００１１】
有機ＥＬパネル１００の基板１１０は、たとえばガラス基板や樹脂基板などの透明基板である。基板１１０は、可撓性を有していてもよい。この場合、基板１１０の厚さは、例えば１０μｍ以上１０００μｍ以下である。この場合においても、基板１１０は無機材料及び有機材料のいずれで形成されていてもよい。
【００１２】
基板１１０は、例えば矩形などの多角形、好ましくは正三角形、正方形、正五角形、正六角形、又は正八角形などの正ｎ角形である。そしてｎが素数の場合、端子部１０６はｎ回対称に配置されている。ｎが素数ではない場合、端子部１０６はｎ回対称、又は、ｍ回対称（ただしｍはｎの約数）に配置されている。本図に示す例では、基板１１０は矩形である。そして基板１１０には、２つの端子部１０６が２回対称となるように配置されている。
【００１３】
発光部１２０は、発光領域１２１を有している。発光領域１２１には、少なくとも一つの有機ＥＬ素子が設けられている。この有機ＥＬ素子は、第１電極と第２電極の間に有機層を挟んだ構成を有している。有機層は、正孔輸送層、発光層、及び電子輸送層をこの順に積層した構成を有している。第１電極が陽極の場合は、正孔輸送層が第１電極の上に形成される。また、第１電極が陰極の場合は、電子輸送層が第１電極の上に形成される。なお、有機層は、さらに他の層を有していてもよい。
【００１４】
第１電極及び第２電極のうち少なくとも一方は透光性の電極になっている。また、残りの電極は、例えばＡｌやＡｇなどの金属によって形成されている。透光性の電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子である。例えば、有機ＥＬ素子が、基板１１０の上に第１電極、有機層、及び第２電極をこの順に積層した構成を有している場合、第１電極は透光性の電極になっており、第２電極は、Ａｌなど光を反射する電極になっている。
【００１５】
発光部１２０は封止部材１３０によって封止されている。封止部材１３０は、例えば、ガラス、又はステンレスやＡｌなどの金属の薄い板（又は箔）によって形成されており、発光部１２０を収容する部分が上側に窪んでいる。これにより、封止部材１３０と基板１１０の間には、発光部１２０を収容する空間が形成される。この空間には乾燥剤が配置されている。また、この空間をエポキシなどの接着剤で充填しても良い。そして封止部材１３０の縁は、基板１１０に固定されている。
【００１６】
なお、封止部材１３０は、成膜法によって形成された膜であってもよい。この場合、例えばＡＬＤ（Atomic Layer Deposition）法又はＣＶＤ法を用いて形成されている。ＡＬＤ法で形成されている場合、封止部材１３０は、例えば酸化アルミニウムなどの酸化金属膜によって形成されている。ＣＶＤ法で形成されている場合、封止部材１３０は、酸化シリコン膜などの無機絶縁膜によって形成されている。
【００１７】
基板１１０のうち封止部材１３０の外側に位置する部分、例えば基板１１０の縁部には、陽極端子１０２及び陰極端子１０４が形成されている。陽極端子１０２は、引出配線１２２を介して発光部１２０に接続しており、陰極端子１０４は、引出配線１２４を介して発光部１２０に接続している。発光部１２０が一つの発光領域１２１を有している場合、複数の陽極端子１０２は互いに並列に設けられており、かつ複数の陰極端子１０４も互いに並列に設けられている。すなわち複数の陽極端子１０２は一つの陽極に接続しており、複数の陰極端子１０４は一つの陰極に接続している。一方、発光部１２０が複数の発光領域１２１を有している場合、複数の陽極端子１０２は互いに異なる発光領域１２１の陽極に接続しており、複数の陰極端子１０４は互いに異なる発光領域１２１の陰極に接続している。言い換えると、端子部１０６は複数の発光領域１２１のそれぞれに対して設けられている。そして、引出配線１２２，１２４は、封止部材１３０で封止されている空間から封止部材１３０の外部に引き出されている。
【００１８】
なお、同一の端子部１０６に含まれる陽極端子１０２と陰極端子１０４は、基板１１０の頂点１１２を挟んで互いに異なる辺に設けられている。このようにすると、発光部１２０を基板１１０の縁の近くまで広げることができる。このため、有機ＥＬパネル１００の非発光領域の面積を小さくすることができる。本図に示す例では、発光部１２０は、有機ＥＬパネル１００と相似形であり、かつ、角のうち端子部１０６と重なる部分を切り欠いた形状を有している。
【００１９】
有機ＥＬパネル１００は、さらに、陽極リード部１４２及び陰極リード部１４４を有している。陽極リード部１４２及び陰極リード部１４４は、いずれもリードフレームで形成された端子であり、絶縁被膜が形成されていない。ただし、陽極リード部１４２及び陰極リード部１４４には、絶縁被膜が形成されていてもよい。陽極リード部１４２及び陰極リード部１４４の一端は、基板１１０を挟み込む形状を有している。陰極リード部１４４は、一端側で基板１１０を挟み込むことにより、陰極端子１０４に接続し、かつ基板１１０に固定される。陽極リード部１４２及び陰極リード部１４４の他端側は、有機ＥＬパネル１００の非発光面側に伸び、後述する回路基板２００に接続している。なお、陽極リード部１４２についても同様である。
【００２０】
また、図２に示すように、有機ＥＬパネル１００のうち基板１１０とは逆側の面には、回路基板２００が設けられている。回路基板２００は、少なくとも陽極端子２０２及び陰極端子２０４を有している。陰極端子２０４は、陰極リード部１４４を介して陰極端子１０４に接続しており、陽極端子２０２は、陽極リード部１４２を介して陽極端子１０２に接続している。本図に示す例では、陽極リード部１４２及び陰極リード部１４４は、回路基板２００に設けられた貫通孔に差し込まれることにより、陽極端子２０２及び陰極端子２０４に接続している。ただし、陽極端子２０２及び陰極端子２０４は、回路基板２００のうち有機ＥＬパネル１００に対向する面に設けられていてもよい。この場合、陽極リード部１４２及び陰極リード部１４４のうち回路基板２００に接続する側の端部は、有機ＥＬパネル１００に沿う方向に折り曲げられてもよい。回路基板２００は、さらに、有機ＥＬパネル１００を制御する制御回路の一部又は全部を有していてもよい。
【００２１】
図３は、回路基板２００の平面図である。本図に示す例において、回路基板２００は、有機ＥＬパネル１００を制御する制御回路２１０を有している。制御回路２１０は、配線２２０を介して陽極端子２０２に接続し、かつ、他の配線２２０を介して陰極端子２０４に接続している。なお、陽極端子２０２及び陰極端子２０４によって、一つの端子部２０６が構成されている。そして回路基板２００には、端子部１０６と同数の端子部２０６が設けられている。複数の端子部２０６も、端子部１０６と同様に、回転対称に配置されている。なお、回路基板２００の平面形状は、有機ＥＬパネル１００の平面形状とほぼ同様である。
【００２２】
以上、本実施形態によれば、複数の端子部１０６は回転対称に配置されている。従って、有機ＥＬパネル１００に回路基板２００を接続するとき、有機ＥＬパネル１００と回路基板２００の向きを合わせやすくなる。従って、この接続を行うときの作業効率が低下することを抑制できる。
【実施例】
【００２３】
図４は、実施例に係る発光装置１０の平面図である。図５は、実施例に係る回路基板２００の平面図である。本実施例に係る発光装置１０は、以下の点を除いて、実施形態に係る発光装置１０と同様の構成を有している。
【００２４】
まず、図４に示すように、有機ＥＬパネル１００の基板１１０は矩形、例えば正方形である。そして端子部１０６は、基板１１０の４つの角のそれぞれに形成されている。言い換えると、複数の端子部１０６は、４回対称となるように配置されている。
【００２５】
そして、発光部１２０は、４つの発光領域１２１を有している。そして複数の端子部１０６は、互いに異なる発光領域１２１に接続している。言い換えると、端子部１０６は、複数の発光領域１２１のそれぞれに対して設けられている。なお、発光部１２０は２つの発光領域１２１を有していてもよい。この場合、端子部１０６は、互いに対角となる２つの角部に設けられていればよい。また、発光領域１２１は、発光部１２０は、矩形であり、かつ角のうち端子部１０６と重なる部分を切り欠いた形状を有している。
【００２６】
また、図５に示すように、回路基板２００の配線２２０は、複数の発光領域１２１を直列につなぐように設けられている。詳細には、制御回路２１０は、第１の端子部２０６の陽極端子２０２と、第２の端子部２０６の陰極端子２０４に接続している。そして、残りの陰極端子２０４は、その隣の端子部２０６の陽極端子２０２に接続しており、残りの陽極端子２０２は、その隣の端子部２０６の陰極端子２０４に接続している。
【００２７】
本実施例によっても、有機ＥＬパネル１００に回路基板２００を接続するとき、有機ＥＬパネル１００と回路基板２００の向きを合わせやすくなる。また、有機ＥＬパネル１００の発光部１２０を複数の発光領域１２１に分割し、かつ、これら複数の発光領域１２１を互いに直列に接続している。従って、発光部１２０を大面積にしても、発光部１２０の面内で明るさに分布が生じることを抑制できる。
【００２８】
また、発光装置１０は回転対称（本図に示す例では４回対称）になっている。従って、発光装置１０を複数並べて一つの大きな発光装置を形成する場合において、発光装置１０の取り付け角度を間違える可能性は低くなる。
【００２９】
以上、図面を参照して実施形態及び実施例について述べたが、これらは本発明の例示であり、上記以外の様々な構成を採用することもできる。
【符号の説明】
【００３０】
１０ 発光装置
１００ 有機ＥＬパネル
１０２ 陽極端子
１０４ 陰極端子
１０６ 端子部
１１０ 基板
１１２ 頂点
１２０ 発光部
１２１ 発光領域
１２２ 引出配線
１２４ 引出配線
１３０ 封止部材
１４２ 陽極リード部
１４４ 陰極リード部
２００ 回路基板
【図１】
2015122271.tif 000003
【図２】
2015122271.tif 000004
【図３】
2015122271.tif 000005
【図４】
2015122271.tif 000006
【図５】
2015122271.tif 000007